(57)【要約】  【課題】  システム規模を大型化することなく、街路図表示画面とスケルトン表示画面を提供できる配電線系統表示システムを提供する。  【解決手段】  配電線系統表示用の計算機が、配電線区間を指定した街路図表示指令に応答して、街路図用データベースに基づいて指定配電線区間の街路図表示用データを生成する機能と、配電線区間を指定したスケルトン表示指令に応答して、設備データベースの配電設備情報に基づいて指定配電線区間のスケルトン表示画面の作成に必要なデータファイルを生成し、記憶装置に蓄積する機能と、上記記憶装置に記憶されたデータファイルを使用して、指定配電線区間のスケルトン表示用のデータを生成する機能とを備えた配電線系統表示システム。【選択図】  図１
2005137077.tif 000002
【特許請求の範囲】
【請求項１】
表示装置を備えたオペレータ操作端末と、配電線系統の制御に利用される配電設備情報を蓄積した設備データベースと、配電線系統の街路図表示に必要な情報を蓄積した街路図用データベースと、配電線系統のスケルトン表示用情報を蓄積するための記憶装置と、配電線系統表示用計算機とを備えた配電線系統表示システムにおいて、
上記配電線系統表示用の計算機が、
配電線区間を指定した上記オペレータ操作端末からの街路図表示指令に応答して、上記街路図用データベースの蓄積情報に基づいて指定配電線区間の街路図表示用データを生成する第１手段と、
配電線区間を指定した上記オペレータ操作端末からのスケルトン表示指令に応答して、上記設備データベースの蓄積情報に基づいて指定配電線区間のスケルトン表示画面の作成に必要なデータファイルを生成し、上記記憶装置に蓄積する第２手段と、
上記記憶装置に記憶されたデータファイルを使用して、指定配電線区間のスケルトン表示用のデータを生成する第３手段とを備えたことを特徴とする配電線系統表示システム。
【請求項２】
前記第２手段が、前記設備データベースと街路図用データベースの蓄積情報とに基づいて前記スケルトン表示画面の作成に必要なデータファイルを生成することを特徴とする請求項１に記載の配電線系統表示システム。
【請求項３】
前記第２手段が、前記街路図用データベースから前記指定配電線区間の構成要素となる配電設備の座標情報を取得し、スケルトン表示画面における各配電設備の配置に上記座標情報を反映させて前記データファイルを生成することを特徴とする請求項２に記載の配電線系統表示システム。
【請求項４】
前記第２手段による前記データファイル生成が完了した時、前記第３手段が起動されることを特徴とする請求項１〜請求項３の何れかに記載の配電線系統表示システム。
【請求項５】
前記第２手段が、前記スケルトン表示指令で指定された配電線区間のスケルトン表示用データが前記記憶装置に存在するか否かを判定し、存在した場合は新たなデータファイルを生成することなく前記第３手段を起動し、存在しなかった場合は、該記憶装置の存在するスケルトン表示用のデータファイルを無効にして新たなデータファイルを生成し、データファイルの生成後に前記第３手段を起動することを特徴とする請求項１〜請求項３の何れかに記載の配電線系統表示システム。
【請求項６】
前記第１手段によって生成された街路図表示用データの表示画面が、スケルトン表示指令入力用の操作領域を含むことを特徴とする請求項１〜請求項５の何れかに記載の配電線系統表示システム。
【請求項７】
前記第３手段によって生成されたスケルトン表示用データの表示画面が、街路図表示指令入力用の操作領域を含むことを特徴とする請求項１〜請求項６の何れかに記載の配電線系統表示システム。
【発明の詳細な説明】
【技術分野】
【０００１】
本発明は、配電線系統表示システムに関し、更に詳しくは、配電線系統を地図上に重ねて表示する街路図表示機能と、配電線系統をスケルトン形式で表示するスケルトン表示機能とを備えた配電線系統表示システムに関する。
【背景技術】
【０００２】
電力会社では、配電線設備を監視し、障害発生等の状況変化に応じて配電線系統を遠隔制御によって切替えている。このように配電線設備を監視し、遠隔制御するシステム（配電線系統管理システム）においては、監視対象となる配電線区間を選択し、監視対象区間の状態を表示するための配電線系統表示機能が必要となる。配電線系統の状態表示は、例えば、オペレータが指定した配電線区間を地図上に重ねて表示する街路図表示方式、または、指定配電線区間の論理的な構成をスケルトン図形として表示するスケルトン表示方式によって行われる。
【０００３】
従来の配電線系統の監視・制御用システムには、街路図用のデータベースと街路図表示用計算機とからなる街路図表示専用の配電線系統表示システムを備えたものと、スケルトン表示用のデータベースとスケルトン表示用計算機とからなるスケルトン表示専用の配電線系統表示システムを備えたものとがある。
【０００４】
【特許文献１】特になし。
【発明の開示】
【発明が解決しようとする課題】
【０００５】
配電線系統の街路図表示は、監視対象となる配電線区間の物理的な配置を地図上で確認できるため、障害範囲や系の切替えによる影響範囲を直感的に把握できる利点がある。しかしながら、街路図表示では、配電線系統が地図上に重ねて表示されるため、広範囲におよぶ配電線系統を画面上に表示しようとすると、表示画面サイズ、地図の縮小度と精細度、地勢的な制約等の理由から、指定配電線系統の全体を同一表示画面内で確認することが困難となる。従って、注目すべき配電線部分が表示画面から外れていた場合は、画面の切替えやスクロールによって目標設備や区間を探し出す操作が必要となる。
【０００６】
街路図表示方式は、比較的狭い範囲に配電設備が密集して配置される都市部の配電線監視に適した監視・制御システムとして普及してきたが、建物が密集した地域で障害が発生した時、不慣れなオペレータにとっては、街路図表示画面上での目標設備の探索に時間を要する場合があるため、スケルトン表示との併用が望まれている。
【０００７】
これに対して、スケルトン表示では、配電線系統の物理的な拡がりに制約されることなく、指定配電線系統区間を論理的な構成図にまとめて表示できるため、広範囲に及ぶ配電線系統の全体構成や、局所的な配電線区間の詳細を表示画面上に容易に表示できる利点がある。そのため、スケルトン表示方式は、配電設備が広い範囲に比較的離散して配置される地域の配電線監視に適した監視・制御システムとして普及している。しかしながら、スケルトン表示方式を採用した場合にも、監視対象区間の状況に応じて、街路図表示による配電設備の物理的配置の把握が望まれている。
【０００８】
配電線系統の監視・制御システムにおいて、従来の方式によって街路図表示とスケルトン表示の利点を兼ね備えようとすると、街路図表示専用システムとスケルトン表示専用システムの両方を備える必要があり、システム規模が大型化し、配電線系統の変更に伴うデータベースのメンテナンスに手数を要すると言う問題がある。また、仮に、街路図表示用計算機とスケルトン表示用計算機とを兼用し、画面の切替えによって街路図表示とスケルトン表示を実現しようとした場合でも、従来の方式では、街路図データベースとスケルトン表示用データベースの両方を備える必要があるため、データベースが大型化し、それらのメンテナンスに手数を要するという問題がある。
【０００９】
本発明の目的は、システム規模を大型化することなく、街路図表示画面とスケルトン表示画面を提供できる配電線系統表示システムを提供することにある。
本発明の他の目的は、街路図表示機能と、配電設備の地勢的な位置関係を加味したスケルトン表示機能とを備えた配電線系統表示システムを提供することにある。
【課題を解決するための手段】
【００１０】
上記目的を達成するため、本発明は、表示装置を備えたオペレータ操作端末と、配電線系統の制御に利用される配電設備情報を蓄積した設備データベースと、配電線系統の街路図表示に必要な情報を蓄積した街路図用データベースと、配電線系統のスケルトン表示用情報を蓄積するための記憶装置と、配電線系統表示用計算機とを備えた配電線系統表示システムにおいて、上記配電線系統表示用の計算機が、配電線区間を指定した上記オペレータ操作端末からの街路図表示指令に応答して、上記街路図用データベースの蓄積情報に基づいて指定配電線区間の街路図表示用データを生成する第１手段と、配電線区間を指定した上記オペレータ操作端末からのスケルトン表示指令に応答して、上記設備データベースの蓄積情報に基づいて指定配電線区間のスケルトン表示画面の作成に必要なデータファイルを生成し、上記記憶装置に蓄積する第２手段と、上記記憶装置に記憶されたデータファイルを使用して、指定配電線区間のスケルトン表示用のデータを生成する第３手段とを備えたことを特徴とする。
【００１１】
本発明の好ましい実施例では、第２手段が、設備データベースと街路図用データベースの両方の蓄積情報に基づいてスケルトン表示用のデータファイルを生成することを特徴とする。具体的には、第２手段は、街路図用データベースから指定配電線区間の構成要素となる配電設備の座標情報を取得し、スケルトン表示画面における各配電設備の配置に上記座標情報を反映させてスケルトン表示用のデータファイルを生成する。
【００１２】
本発明の配電線系統表示システムの他の特徴は、上記第２手段によってスケルトン表示用データファイルの生成が完了した時、第３手段を自動的に起動することによって、オペレータからのスケルトン表示指令に応答して、スケルトン表示用のデータファイルの生成と、これを利用したスケルトン表示用の画面データの生成とが連続的に実行されるようにしたことにある。
【００１３】
本発明の１実施例では、第２手段が、スケルトン表示指令で指定された配電線区間のスケルトン表示用データが記憶装置に既に存在するか否かを判定し、存在した場合は新たなデータファイルを生成することなく第３手段を起動し、存在しなかった場合は、上記記憶装置の存在するスケルトン表示用のデータファイルを無効にして新たなデータファイルを生成し、データファイルの生成後に上記第３手段を起動することを特徴とする。
【発明の効果】
【００１４】
本発明によれば、街路図表示用の計算機とスケルトン表示用の計算機を兼用し、必要に応じてスケルトン表示用のデータファイルを自動的に生成するようにしているため、配電線系統表示システムのハードウェア規模を小型化できる。また、スケルトン表示用のデータファイルを自動的に生成しているため、配電線系統に変更や拡張が発生した場合でも、設備データベースと街路図用データベースを変更すれば済み、データメンテナンスが容易になる。
【発明を実施するための最良の形態】
【００１５】
以下、本発明の実施例について、図面を参照して説明する。
図１は、本発明による配電線系統表示システムの１実施例を示すプロック図である。
本実施例の配電線系統表示システムは、配電系統管理システムに適用され、配電線系統の監視・制御用計算機１と、配電線系統表示用計算機２と、表示装置４を備えたオペレータ操作端末（操作卓）３とからなる。これらの装置はＬＡＮ等のネットワーク５によって相互接続されている。
【００１６】
ネットワーク５には、配電線系統の構成情報と状態情報とを含む各種データを蓄積した設備データベース６と、配電線系統を地図上に重ねて街路図として表示するために必要な各種データを蓄積した街路図データベース７と、配電線系統をスケルトン形式で表示する際に必要となるスケルトン表示用データを蓄積する記憶装置８とが接続されている。
【００１７】
監視・制御用計算機１は、図示しない通信装置を介して配電線システムと接続されており、例えば、変電所等の配電設備に障害が発生した時、操作卓３を介して表示装置４にアラーム情報を出力すると共に、設備データベース６に蓄積された障害設備に該当するデータエントリに障害状態を登録する。
【００１８】
配電線系統表示用計算機２は、オペレータが操作卓３から配電線区間（配電線名）を指定して街路図表示指令を入力した時、設備データベース６と街路図データベース７の蓄積情報に基づいて配電線系統の街路図表示用の画面データを生成し、操作卓３を介して表示装置４に出力するための街路図表示ルーチン１０と、操作卓３から配電線名を指定してスケルトン表示指令があった時、設備データベース６と街路図データベース７の蓄積情報に基づいて指定配電線区間のスケルトン表示用データファイルを自動的に生成し、記憶装置８に蓄積するスケルトン表示用データファイル生成ルーチン２０と、上記スケルトン表示用データファイルに基づいて、指定配電線区間の配電線系統スケルトン表示用の画面データを生成し、操作卓３を介して表示装置４に出力するためのスケルトン表示ルーチン３０とを備えている。
【００１９】
図２は、表示装置４に出力される配電線系統選択画面４０の１例を示す。
配電線系統選択画面（ウインドウ）４０は、街路図表示またはスケルトン表示すべき配電線名を指定するための配電線名リスト４１と、配電線名リスト４１の表示内容をスクロールするためのスクロールバー４２と、街路図表示指定ボタン４３と、スケルトン表示指定ボタン４４とを含んでいる。オペレータは、配電線名リスト４１に表示された複数の配電線名の中から、例えば、マウス操作によって、観察対象となる特定の配電線名を選択（指定）した後、街路図表示指定ボタン４３とスケルトン表示指定ボタン４４の何れかをクリックする。
【００２０】
図３は、オペレータが配電線系統選択画面４０で街路図表示指定ボタン４３を選択した時に発生する街路図表示指令に応答して、配電線系統表示用計算機２が街路図表示ルーチン１０を実行して表示装置４に出力する街路図表示画面５０の１例を示す。また、図４は、スケルトン表示指定ボタン４４が選択された時に発生するスケルトン表示指令に応答して、配電線系統表示用計算機２がスケルトン表示ルーチン３０を実行して表示装置４に出力するスケルトン表示画面５５の１例を示す。
【００２１】
街路図表示画面５０は、配電線名リスト４１から選択された特定の配電線名Ａをもつ配電線区間の配電設備の接続関係を地図上での配置図として表示したものであり、街路図表示画面５０には、スケルトン表示画面５５への切替えを指示するためのスケルトン表示切替えボタン５１と、元の画面、例えば、図２に示した配電線系統選択画面４０への切替えを指示するための戻りボタン５２とが用意されている。尚、実際のシステムは、表示内容の拡大／縮小、モード切替、スクロール用などキーを備えているが、これらは簡単化のために図面では省略されている。
【００２２】
街路図表示画面５０は、設備データベース６と街路図データベース７に用意された地図情報および配電線系統図データとに基づいて生成される。地図は複数のメッシュ領域からなり、街路図データベース７には、各メッシュ領域と対応して、一般的な地図の形成に必要とされる基板レイヤ情報と、配電線系統図の表示に必要とされる固有レイヤ情報とが蓄積されている。
【００２３】
基板レイヤ情報は、例えば、道路、街区、行政区域の境界、鉄道、河川、家型、それらに付随する名称、シンボルなど、地図の構成要素毎に分けた複数のレイヤからなる。街路図表示には、これらの基板レイヤ情報のうち、配電線系統の背景に適したレイヤの情報が選択的に利用される。基板レイヤ情報と同様に、固有レイヤ情報も、配電線系統を構成する電線や開閉器等の設備シンボル、各シンボルに付随する文字列、座標値などの情報が複数のレイヤに分けて蓄積されている。
【００２４】
ここに示した例では、配電線名Ａをもつ配電線区間は、幹線開閉器（黒三角マーク）ＳＷ１〜ＳＷ４と、別の配電線名をもった隣接配電線区間との接続点となる連係開閉器（白抜き四角マーク）ＳＷ２１、ＳＷ３１と、これらの開閉器間を接続する配電線とによって表されている。設備データベース６から障害状態にあると判明した要素は、例えば、色を変えて他の要素と区別できるように表示される。ここでは、監視・制御計算機１から遠隔操作可能な自動開閉器のみを示し、自動開閉器間に実在する手動切替え型の開閉器は表示対象から外してあるが、実際のシステムでは、表示モードの切替えによって、手動切替え型開閉器を含む詳細な配電線構造の表示も可能である。
【００２５】
以下の説明では、互いに隣接する複数の幹線開閉器間、または互いに隣接する幹線開閉器と連係開閉器との間の配電線区間を「幹線区間」と称し、手動開閉器を含めた配電線区間構成における隣接開閉器間の配電線区間を「最小区間」と称することにする。各幹線区間と最小区間には、それぞれの識別子として幹線区間システム番号と最小区間システム番号とが割当てられている。
【００２６】
図４に示したスケルトン表示画面５５は、配電線名リスト４１から選択された特定の配電線名をもつ配電線区間の構成要素（ＳＷ１〜ＳＷ３１）の接続関係をスケルトン形式で表示したものである。スケルトン表示画面５５には、街路図表示画面５０への切替えを指示するための街路図表示切替えボタン５６と、元の画面への切替えを指示するための戻りボタン５７とが用意されている。本発明の配電線系統表示システムでは、要素種別と地図上での位置関係を考慮し、スケルトン表示画面５５上では、主要幹線上の構成要素群（図４ではＳＷ１、ＳＷ２、ＳＷ４、ＳＷ４１）を水平方向の基準軸上に配置し、主要幹線から分岐した各区間の構成要素（ＳＷ３、ＳＷ３１、ＳＷ２１）を基準軸に対して内側から外側に優先度順に配列する形式で各構成要素（ＳＷ１〜ＳＷ３１）の表示位置を決定している。
【００２７】
図５は、設備データベース６の構成の１例を示す。本実施例では、設備データベース６には、配電線内開閉器一覧ファイル６１と、開閉器設備オブジェクトファイル６２と、最小区間設備オブジェクトファイル６３と、幹線区間番号状態ファイル６４と、その他の情報ファイル６５とが用意されている。
【００２８】
配電線内開閉器一覧ファイル６１には、例えば、図６に示すように、配電線システム番号６１０（６１０−１〜６１０−ｎ）と対応して、複数の開閉器システム番号６１１（６１１−１〜６１１−ｍ）が定義されている。配電線システム番号６１０は、前述した配電線名リスト４１で選択される配電線名と対応しており、開閉器システム番号６１１−１〜６１１−ｍは、配電線名リストで指定された配電線区間の構成要素となる複数の開閉器（手動開閉器を含む）のシステム番号を示している。
【００２９】
開閉器設備オブジェクトファイル６２は、例えば、図７に示すように、開閉器システム番号６２０（６２０−１〜６２０−ｉ）に対応して、開閉器種別６２１と、電源側最小区間システム番号６２２と、負荷側最小区間システム番号６２３と、状態情報等のその他の情報６２９を示している。開閉器種別６２１は、その開閉器が指定配電線区間の開始位置にある立ち上がり開閉器、幹線開閉器、連係開閉器、その他の開閉器（手動開閉器等の）等の区別を示している。尚、開閉器システム番号６２０−１〜６２０−ｉは、配電線内開閉器一覧ファイル６１に登録された各開閉器システム番号６１１と対応している。
【００３０】
最小区間設備オブジェクトファイル６３は、例えば、図８に示すように、最小区間システム番号６３０（６３０−１〜６３０−ｊ）に対応して、区間種別６３１と、所属配電線番号６３２と、隣接開閉器システム番号６３３（６３３−１〜６３３−ｐ）と、所属幹線区間番号６３４を示している。ここで、区間種別６３１は、その最小区間が配電線の本線か、一般家庭への引込線か等の区別を示している。
【００３１】
幹線区間番号状態ファイル６４は、例えば、図９に示すように、開閉器システム番号６４０（６４０−１〜６４０−ｉ）と対応して、負荷側幹線区間番号６４１とその他の情報６４２を定義している。ここで、開閉器システム番号６４０（６４０−１〜６４０−ｉ）は、開閉器設備オブジェクトファイル６２に登録されている開閉器システム番号６２０（６２０−１〜６２０−ｉ）に対応している。
【００３２】
図１０は、操作卓３からスケルトン表示指令を受けた時、スケルトン表示ルーチン３０の実行に先立って配電線系統表示用計算機２が実行するスケルトン表示用データファイル生成ルーチン２０の１実施例を示す。
スケルトン表示用データファイル生成ルーチン２０では、配電線系統選択画面４０で指定された配電線名と対応する配電線システム番号（以下、指定配電線番号と言う）を特定（ステップ２００）した後、上記指定配電線番号をもつスケルトン表示用のデータファイルが記憶装置８に既に作成済みか否かを判定する（２０１）。記憶装置８に指定配電線番号のデータファイルが既に作成済みの場合は、スケルトン表示ルーチン３０を起動して（２１３）、このルーチン２０を終了する。
【００３３】
記憶装置８に指定配電線番号をもつスケルトン表示用データファイルがなかった場合は、記憶装置８に存在する不要データファイルをクリア（２０２）した後、図６に示した配電線内開閉器一覧ファイル６１を参照して、上記指定配電線番号と対応する開閉器システム番号を取得する（２０３）。この後、図７に示した開閉器設備オブジェクトファイル６２を参照して、各開閉器システム番号と対応する電源側および負荷側の最小区間システム番号を特定する（２０４）。
【００３４】
指定配電線番号をもつ配電線区間として、例えば、図１１に示すように、立ち上がり開閉器ＳＷ１と、幹線開閉器ＳＷ２〜ＳＷ６と、連係開閉器ＳＷ３１〜ＳＷ６１と、手動開閉器ＭＳ１１〜ＭＳ２２からなる区間を想定する。この場合、指定配電線区間は、幹線区間Ｓ１〜Ｓ６からなる。また、幹線区間Ｓ１は、最小区間Ｍ１１、Ｍ１２、Ｍ１３からなり、幹線区間Ｓ２は、最小区間Ｍ２１、Ｍ２２からなっている。実際には、他の幹線区間Ｓ３〜Ｓ６にも手動開閉器を含むが、ここでは、簡単化のために省略してある。この場合、例えば、開閉器ＳＷ２に着目すると、開閉器ＳＷ２と手動開閉器ＭＳ１２との間の区間Ｍ１３が電源側最小区間となり、開閉器ＳＷ２と手動開閉器ＭＳ２１との間の区間Ｍ２１が負荷側の最小区間となる。
【００３５】
スケルトン表示用データファイル生成ルーチン２０では、上記ステップ２０４で特定された最小区間システム番号に基づいて、図８に示した最小区間設備オブジェクトファイル６３を参照し、各開閉器の電源側、負荷側に隣接する開閉器のシステム番号と、所属幹線区間番号を特定する（２０５）。
【００３６】
例えば、図１１の開閉器ＳＷ２に着目した場合、最小区間設備オブジェクトファイル６３から、電源側最小区間Ｍ１３のシステム番号に基づいて、電源側の隣接開閉器ＭＳ１２のシステム番号が判明し、負荷側の最小区間Ｍ２１のシステム番号に基づいて、負荷側の隣接開閉器ＭＳ２１のシステム番号が判明する。この後、図９に示した幹線区間番号状態ファイル６４を参照し、各開閉器の負荷側幹線区間番号を特定する（２０６）。
以上の処理によって、指定配電線区間に含まれる各開閉器の番号６１１（６１１−１〜６１１−ｍ）に付随して、隣接する開閉器群および隣接区間の識別情報を示す図１４のデータブロック６００が得られる。
【００３７】
本実施例では、これらのデータブロック６００が示す幹線区間番号６３４、６４１に基づいて、開閉器システム番号６１１−１〜６１１−ｍをグルーピングし、図１５に示すように、幹線区間番号８１（８１−１〜８１−ｎ）毎に、開閉器システム番号８２（８２−１、８２−２、…）を番号順に配列し、各開閉器システム番号に開閉器種別８２１〜その他の情報８２９を含むデータエントリを付随させた形式のデータファイル８０を作成し、これを記憶装置８に格納する（２０７）。
【００３８】
次に、街路図データベース７の固有レイヤから、各開閉器のシステム番号８２と対応する地図上での座標情報を検索し、これを座標情報８３０としてデータファイル８０に追加する（２０８）。また、各開閉器の負荷側に接続された幹線開閉器の個数をカウントして、データファイル８０に負荷側接続幹線開閉器数８３１として追加する（２０９）。例えば、図１１に示した配電線区間において、幹線開閉器ＳＷ１に着目すると、負荷側接続幹線開閉器はＳＷ２〜ＳＷ６の５個であり、幹線開閉器ＳＷ２の負荷側接続幹線開閉器はＳＷ３とＳＷ４の２個、幹線開閉器ＳＷ５の負荷側接続幹線開閉器はＳＷ６の１個となる。
【００３９】
次に、各幹線開閉器の座標情報８３０を利用して、幹線区間毎に、電源側開閉器を基点とする各幹線開閉器のベクトルを算出し、それらの合成ベクトルを各幹線区間の基準ベクトルとする（２１０）。例えば、図１２に示すように、幹線区間Ｓ１が開閉器ＳＷ１、ＳＷ２、ＳＷ５によって形成されていた場合、幹線区間Ｓ１の基準ベクトルは、電源側開閉器ＳＷ１を基点として求めた開閉器ＳＷ２のベクトルＶ１２と、開閉器ＳＷ５のベクトルＶ１５との合成ベクトルＶ１となる。
【００４０】
本実施例では、幹線開閉器毎に、各開閉器のベクトル（例えば、Ｖ１２、Ｖ１５）と基準ベクトル（例えば、Ｖ１）との相対的な角度を求め、これを相対角度８３２としてデータファイル８０に追加する（２１１）。この後、以下に述べるスケルトン表示規則に従って各区間（開閉器）の優先度を決定し、優先度に従って幹線区間に所属する開閉器システム番号のデータエントリを並べ替える（２１２）。これによって、スケルトン表示用のデータファイルが自動生成が完了するため、スケルトン表示ルーチン３０を起動（２１３）して、このデータファイル生成ルーチン２０を終了する。
【００４１】
図１３は、優先度とスケルトン画面上での配置との関係を示す。
本実施例では、スケルトン画面で、立ち上がり開閉器ＳＷ０１を基点とする水平方向の基準軸上に主要幹線区間の開閉器ＳＷ０４、…を配列した時、優先度の高い開閉器群（または幹線区間）は基準軸に近く、優先度が低くなるに従って基準軸から離れるように、各表示要素の優先度を決定する。また、本実施例では、各幹線区間に所属する幹線開閉器群を相対角度８３２によって、基準軸の上部側と下部側に振り分ける。
【００４２】
各幹線区間において、例えば、基準ベクトルより左側（反時計方向）に位置した開閉器は基準軸の上部側、基準ベクトルより右側（時計方向）に位置した開閉器は基準軸の下部側に振り分け、上部側に属した開閉器のうちで最も優先度の高い開閉器を基準軸上に配置する。基準軸に対する上部側、下部側の振り分け結果は、例えば、図１５に示す配列判定ビット８２０として、データファイル８０の各データエントリに登録される。
【００４３】
各開閉器の優先度の決定には、末端区間以外の区間では、例えば、次の規則（１）〜（７）を適用し、末端区間では規則（１）と（５）〜（７）を適用する。
（１）基準ベクトルに対する相対角度の小さい方を優先
（２）その開閉器に接続される区間数（負荷側接続幹線開閉器数）の多い方を優先
（３）幹線開閉器＞ＳＶＲ＞区分用開閉器
（４）時限小＞時限大
（５）自動開閉器＞手動開閉器
（６）開閉器システム番号の小さい方を優先
（７）架空開閉器＞地中開閉器
図１６は、街路図表示画面で地図に重ねて表示される指定配電線区間の構成を示し、図１７は、スケルトン表示ルーチン３０が上述したスケルトン表示用データファイル８０に従って生成するスケルトン表示画面の１例を示す。
【００４４】
図１６において、丸で囲んだ数字１〜４は幹線区間番号、Ｖ１〜Ｖ４は、各幹線区間における基準ベクトルを意味している。幹線区間１では、幹線開閉器ＳＷ２とＳＷ３が存在しているが、基準ベクトルＶ１に対する相対角度の小さい幹線開閉器ＳＷ２の方が優先するため、図１７に示すように、幹線開閉器ＳＷ２が基準軸上に配置される。また、基準ベクトルに対する相対角度の値から、幹線開閉器ＳＷ３と連係開閉器ＳＷ１１は基準軸の上側に振り分けられ、規則（２）によって、幹線開閉器ＳＷ３が連係開閉器ＳＷ１１よりも優先した位置に配置される。
【００４５】
幹線開閉器ＳＷ２を基点とする幹線区間２では、規則（２）に従って幹線開閉器ＳＷ４が基準軸上に配置され、基準ベクトルに対する相対角度の値から、連係開閉器ＳＷ２１は基準軸の下側に配置される。幹線開閉器ＳＷ４を基点とする幹線区間４では、該当する開閉器が一個しかないため、連係開閉器ＳＷ４１が基準軸上に配置される。同様に、幹線開閉器ＳＷ３を基点とする幹線区間３でも、該当する開閉器が連係開閉器ＳＷ３１のみとなっているため、連係開閉器ＳＷ４１が幹線開閉器ＳＷ３と同一軸上に配置される。
【００４６】
上記配電線区間の場合、記憶装置８に用意されるデータファイル８０は、幹線区間１に付随して、開閉器ＳＷ２、ＳＷ３、ＳＷ１１の順で開閉器システム番号とデータエントリを記憶しており、これらのデータエントリの配列判定ビット８２０には、基準軸の上部側に配列すべきことを示すビット値をが付与されている。また、幹線区間２に付随して、開閉器ＳＷ４、ＳＷ２１の順で開閉器システム番号とデータエントリを記憶し、開閉器ＳＷ４の配列判定ビット８２０には上部側、開閉器ＳＷ２１の配列判定ビット８２０には下部側を示すビット値が付与されている。幹線区間３、４に付随する開閉器ＳＷ３１、ＳＷ４１のデータエントリでは、配列判定ビット８２０に上部側を示すビット値が付与されている。
【００４７】
上述した本発明の最適実施例では、スケルトン表示用データファイルの生成ルーチン２０が、街路図データベース７から指定配電線区間に含まれる開閉器の座標情報を取得し、座標情報が示す各開閉器の物理的な位置関係を考慮した形で、スケルトン表示画面における各開閉器および区間の表示位置を決定したが、本発明において各開閉器の位置座標は必須の要件ではない。すなわち、スケルトン表示用のデータファイルを設備データベース６のみに基づいて生成し、（１）を除く優先度決定規則（２）〜（７）に従って各開閉器および区間の優先度（表示位置）を決定してもよい。この場合、データファイル８０からは配列判定ビット８２０がなくなるため、スケルトン表示画面は、後続する区間数が最も多い幹線区間を基準軸上に配置し、その下部側（または上部側）に優先度順に他の区間の開閉器を分岐した要素配列となる。
【００４８】
また、実施例では、スケルトン表示用データファイル生成ルーチン２０の最終ステップ２１３でスケルトン表示ルーチン３０を起動するものとして説明したが、データファイル生成ルーチン２０が終了した時、これら２つのルーチンを制御する別のルーチンにスケルトン表示ルーチン３０を起動させてもよい。
【図面の簡単な説明】
【００４９】
【図１】本発明による配電線系統表示システムの１実施例を示すブロック図。
【図２】表示装置４に出力される配電線系統選択画面４０の１例を示す図。
【図３】表示装置４に出力される街路図表示画面５０の１例を示す図。
【図４】表示装置４に出力されるスケルトン表示画面５５の１例を示す図。
【図５】設備データベース６の構成の１例を示す図。
【図６】設備データベース６に含まれる配電線内開閉器一覧ファイル６１の１実施例を示す図。
【図７】設備データベース６に含まれる開閉器設備オブジェクトファイル６２の１実施例を示す図。
【図８】設備データベース６に含まれる最小区間設備オブジェクトファイル６３の１実施例を示す図。
【図９】設備データベース６に含まれる幹線区間番号状態ファイル６４の１実施例を示す図。
【図１０】スケルトン表示用データファイル生成ルーチン２０の１実施例を示すフローチャート。
【図１１】指定配電線区間の構成の１例を示す図。
【図１２】幹線区間の基準ベクトルの算出方法を説明するための図。
【図１３】スケルトン表示画面における開閉器の優先順位を説明するための図。
【図１４】スケルトン表示用データファイル生成ルーチン２０が生成するデータブロック６００の１例を示す図。
【図１５】スケルトン表示用データファイル生成ルーチン２０が生成するデータファイル８０の１例を示す図。
【図１６】街路図表示画面で地図上に表示される指定配電線区間の構成の１例を示す図。
【図１７】図１６の街路図表示画面と対応するスケルトン表示画面の１例を示す図。
【符号の説明】
【００５０】
１：監視・制御用計算機、２：配電線系統表示用計算機、３：操作卓、４：表示装置、
５：ネットワーク、６：設備データベース、７：街路図データベース、８：記憶装置、
１０：街路図表示ルーチン、２０：スケルトン表示用データファイル生成ルーチン、
３０：スケルトン表示ルーチン、６１：配電線内開閉器一覧ファイル、
６２：開閉器設備オブジェクトファイル、６３：最小区間設備オブジェクトファイル、
６４：幹線区間番号状態ファイル。
【図１】
2005137077.tif 000003
【図２】
2005137077.tif 000004
【図３】
2005137077.tif 000005
【図４】
2005137077.tif 000006
【図５】
2005137077.tif 000007
【図６】
2005137077.tif 000008
【図７】
2005137077.tif 000009
【図８】
2005137077.tif 000010
【図９】
2005137077.tif 000011
【図１０】
2005137077.tif 000012
【図１１】
2005137077.tif 000013
【図１２】
2005137077.tif 000014
【図１３】
2005137077.tif 000015
【図１４】
2005137077.tif 000016
【図１５】
2005137077.tif 000017
【図１６】
2005137077.tif 000018
【図１７】
2005137077.tif 000019